(57)【要約】【課題】複数台のハードディスク装置を使用して効率良くカラオケデータのバックアップを行うことができるカラオケ装置を提供する。【解決手段】楽曲データと背景映像データを少なくとも２台のハードディスク装置（１２６、１２８）に記憶して、カラオケ再生を行うカラオケ装置１００であって、前記１台のハードディスク装置１２６に楽曲データを記憶し、残りの１台のハードディスク装置１２８に該楽曲データの複製データを記憶すると共に、背景映像データは２台のハードディスク装置（１２６、１２８）に分散させて記憶する。【選択図】  図１
2005258009.tif 000002
【特許請求の範囲】
【請求項１】
楽曲データと背景映像データを少なくとも２台のハードディスク装置に記憶して、カラオケ再生を行うカラオケ装置であって、
前記１台のハードディスク装置に楽曲データを記憶し、残りの１台のハードディスク装置に該楽曲データの複製データを記憶すると共に、背景映像データは２台のハードディスク装置に分散させて記憶したことを特徴とするカラオケ装置。
【請求項２】
楽曲データと背景映像データを複数台のハードディスク装置に記憶して、カラオケ再生を行うカラオケ装置であって、
前記複数台のハードディスク装置に楽曲データと該楽曲データの複製データを記憶すると共に、背景映像データは前記複数台のハードディスク装置に分散させて記憶したことを特徴とするカラオケ装置。
【請求項３】
楽曲データと背景映像データを複数台のハードディスク装置に記憶してカラオケ再生を行うカラオケ装置であって、
通信回線を介して配信される楽曲データおよび背景映像データを受信する通信処理部と、
前記受信した楽曲データについて複製データを作成する複製データ作成部と、
前記ハードディスク装置に記憶するデータの割り当てを制御するハードディスク制御部とを備え、
前記ハードディスク制御部は、楽曲データと該楽曲データの複製データをそれぞれ割り当てたハードディスク装置に記憶し、背景映像データを前記割り当てに従ってハードディスク装置に記憶することを特徴とするカラオケ装置。
【請求項４】
楽曲データと背景映像データを少なくとも２台のハードディスク装置に記憶して、カラオケ再生を行うカラオケ装置のデータ記憶方法であって、
前記１台のハードディスク装置に楽曲データを記憶し、残りの１台のハードディスク装置に該楽曲データの複製データを記憶すると共に、背景映像データは２台のハードディスク装置に分散させて記憶したことを特徴とするカラオケ装置のデータ記憶方法。
【請求項５】
楽曲データと背景映像データを複数台のハードディスク装置に記憶して、カラオケ再生を行うカラオケ装置のデータ記憶方法であって、
前記複数台のハードディスク装置に楽曲データと該楽曲データの複製データを記憶すると共に、背景映像データは前記複数台のハードディスク装置に分散させて記憶したことを特徴とするカラオケ装置のデータ記憶方法。
【請求項６】
楽曲データと背景映像データを複数台のハードディスク装置に記憶してカラオケ再生を行うカラオケ装置のデータ記憶方法であって、
通信回線を介して配信される楽曲データおよび背景映像データを受信するステップと、
前記受信した楽曲データについて複製データを作成するステップと、
前記ハードディスク装置に記憶するデータの割り当てを制御するステップとを備え、
前記データの割り当てを制御するステップは、楽曲データと該楽曲データの複製データをそれぞれ割り当てたハードディスク装置に記憶し、背景映像データを前記割り当てに従ってハードディスク装置に記憶することを特徴とするカラオケ装置のデータ記憶方法。
【発明の詳細な説明】
【技術分野】
【０００１】
本発明は、カラオケ装置に係り、更に詳しくは、カラオケデータ（楽曲データ（ＭＩＤＩデータ、歌詞データ、色替データ）、背景映像データなど）をハードディスク装置などの書き換え型の大容量記憶装置に保存して、カラオケ再生を行うものに関する。
【背景技術】
【０００２】
従来、次々に出る新曲を早く歌いたいと言う要望に応えるために、通信回線を利用してセンターホストからカラオケデータを配信し、カラオケ装置側で、配信されたカラオケデータをハードディスク装置などの書き換え可能なタイプの大容量記憶装置に保存して利用するカラオケ装置（通信カラオケ装置、例えば、特許文献１参照）がある。    
【０００３】
従来のカラオケ装置では、ハードディスク装置を１台備えているが、ハードディスク装置１台構成の場合では、記憶容量が少ないため、記憶する曲数を増やすとＭＩＤＩデータと歌詞データを記憶する領域を優先して確保しなければならないため、背景映像の記憶数が制限されて、背景映像が変化に乏しく、楽しさに欠けてしまう、という問題があった。
【０００４】
そこで、最近では、ハードディスク装置を２台用意して、２台目のハードディスク装置を背景映像の記憶に使用して背景映像の数を増やして娯楽性を高めている。
【特許文献１】特開平10-78789号公報
【発明の開示】
【発明が解決しようとする課題】
【０００５】
通信カラオケ装置は、カラオケ演奏に使用していないときにカラオケデータの更新を行うように構成されているため、２４時間通電してハードディスク装置のアクセスを頻繁に行っているのが現状である。
【０００６】
このように通信カラオケ装置では、ハードディスク装置を過酷な条件で使用しているため、ハードディスク装置の故障などにより保存したカラオケデータが消失する可能があり、カラオケデータをバックアップしておくことが望まれている。
【０００７】
このようなカラオケデータのバックアップ方法としては、ハードディスク装置のミラーリング（複製）を行うことが考えられるが、ハードディスク装置を追加することなくミラーリングすると、ハードディスク装置が１台の場合は、１台のハードディスク装置の記憶容量の半分がミラーリングのために必要となり、また、ハードディスク装置２台の場合は、１台のハードディスク装置がミラーリングのために必要となるため、曲数を優先して確保すると、記憶できる映像の数が少なくなってしまうという問題があった。
【０００８】
他方、ミラーリング用のハードディスク装置を追加する場合、コストアップにつながり、又、カラオケ装置が大型化してしまうという問題があった。
【０００９】
本発明は、上記の問題点を解決する為になされたものであり、通信カラオケデータ（楽曲データ（ＭＩＤＩデータ、歌詞データ、色替データ）、背景映像データなど）を記憶するためのハードディスク装置を複数台備えたカラオケ装置において、新たにハードディスク装置を追加することなく、又、記憶できる背景映像の数を減らすことなく、ミラーリング（複製）を行って、カラオケデータのバックアップを行うことができるカラオケ装置を提供することを目的とする。
【課題を解決するための手段】
【００１０】
請求項１に係る本発明のカラオケ装置は、上記の目的を達成する為に、楽曲データと背景映像データを少なくとも２台のハードディスク装置（１２６、１２８）に記憶して、カラオケ再生を行うカラオケ装置１００であって、前記１台のハードディスク装置１２６に楽曲データを記憶し、残りの１台のハードディスク装置１２８に該楽曲データの複製データを記憶すると共に、背景映像データは２台のハードディスク装置（１２６、１２８）に分散させて記憶したことを特徴とする。
【００１１】
請求項２に係る本発明のカラオケ装置は、上記の目的を達成する為に、楽曲データと背景映像データを複数台のハードディスク装置（１２６，１２８）に記憶して、カラオケ再生を行うカラオケ装置１００であって、前記複数台のハードディスク装置（１２６，１２８）に楽曲データと該楽曲データの複製データを記憶すると共に、背景映像データは前記複数台のハードディスク装置（１２６、１２８）に分散させて記憶したことを特徴とする。
【００１２】
請求項３に係る本発明のカラオケ装置は、上記の目的を達成する為に、楽曲データと背景映像データを複数台のハードディスク装置（１２６，１２８）に記憶してカラオケ再生を行うカラオケ装置１００であって、通信回線４００を介して配信される楽曲データおよび背景映像データを受信する通信処理部１１２と、前記受信した楽曲データについて複製データを作成する複製データ作成部１０２と、前記ハードディスク装置に記憶するデータの割り当てを制御するハードディスク制御部（１０２、１２４）とを備え、前記ハードディスク制御部は、楽曲データと該楽曲データの複製データをそれぞれ割り当てたハードディスク装置（１２６，１２８）に記憶し、背景映像データを前記割り当てに従ってハードディスク装置（１２６，１２８）に記憶することを特徴とする。
【００１３】
請求項４に係る本発明のカラオケ装置のデータ記憶方法は、上記の目的を達成する為に、楽曲データと背景映像データを少なくとも２台のハードディスク装置に記憶して、カラオケ再生を行うカラオケ装置のデータ記憶方法であって、前記１台のハードディスク装置に楽曲データを記憶し、残りの１台のハードディスク装置に該楽曲データの複製データを記憶すると共に、背景映像データは２台のハードディスク装置に分散させて記憶したことを特徴とする。
【００１４】
請求項５に係る本発明のカラオケ装置のデータ記憶方法は、上記の目的を達成する為に、楽曲データと背景映像データを複数台のハードディスク装置に記憶して、カラオケ再生を行うカラオケ装置のデータ記憶方法であって、前記複数台のハードディスク装置に楽曲データと該楽曲データの複製データを記憶すると共に、背景映像データは前記複数台のハードディスク装置に分散させて記憶したことを特徴とする。
ことを特徴とする。
【００１５】
請求項６に係る本発明のカラオケ装置のデータ記憶方法は、上記の目的を達成する為に、楽曲データと背景映像データを複数台のハードディスク装置に記憶してカラオケ再生を行うカラオケ装置のデータ記憶方法であって、通信回線を介して配信される楽曲データおよび背景映像データを受信するステップと、前記受信した楽曲データについて複製データを作成するステップと、前記ハードディスク装置に記憶するデータの割り当てを制御するステップとを備え、前記データの割り当てを制御するステップは、楽曲データと該楽曲データの複製データをそれぞれ割り当てたハードディスク装置に記憶し、背景映像データを前記割り当てに従ってハードディスク装置に記憶することを特徴とする。
【００１６】
なお、以上の構成要素の任意の組合せ、本発明の表現を方法、装置、システム、記録媒体、コンピュータプログラムなどの間で変換したものもまた、本発明の態様として有効である。
【発明の効果】
【００１７】
本発明に係るカラオケ装置によれば、通信カラオケデータ（楽曲データ（ＭＩＤＩデータ、歌詞データ、色替データ）、背景映像データなど）を記憶するためのハードディスク装置を複数台備えたカラオケ装置において、新たにハードディスク装置を追加することなく、又、記憶できる背景映像の数を減らすことなく、ミラーリング（複製）を行って、カラオケデータのバックアップを行うことができるカラオケ装置を提供することができる。
【発明を実施するための最良の形態】
【００１８】
以下、この発明の実施の形態を説明する。
【実施例１】
【００１９】
つぎに、本発明の実施の形態を、図面と共に詳細に説明する。
【００２０】
図１は、本発明に係るカラオケ装置の全体構成を示すブロック図であって、通信カラオケ装置に適用した場合の基本構成を示している。
【００２１】
１００は通信カラオケ装置を示している。１０２は、システム制御部であり、通信カラオケ装置１００の全体を制御するものであって、各種の入出力装置の制御、メモリー管理及びデータ処理などを行う。
【００２２】
１０４は操作部であり、通信カラオケ装置１００の各種状態を設定する各種キー、スイッチで構成される。
【００２３】
１０６はフォント制御部であって、後述する補助記憶部１１０から取り出した歌詞データおよび色替えデータと、主記憶部１０８から取り出したフォント情報に基づいて、表示用のビットマップデータを変換作成する。
【００２４】
１０８は主記憶部であって、カラオケ装置を制御するための各種制御プログラム、フォント情報、制御に必要な複数のフラグ情報やデータや後述するハードディスク装置１２６，１２８のドライブ名等を記憶するＲＯＭおよび又はＲＡＭなどで構成されている。
【００２５】
１１０は補助記憶部であり、ネットワーク４００を経由して接続されたホストコンピュータ３００から配信された通信カラオケデータ（楽曲データ、歌詞データ、色替えデータ、背景映像データなど）を記憶するためのものであり、大容量の２台のハードディスク１（１２６），ハードディスク２（１２８）と、前記ハードディスク１（１２６），ハードディスク２（１２８）を制御するＨＤコントローラ１２４で構成される。
【００２６】
１１２はネットワーク４００を介して前記ホストコンピュータ３００から通信カラオケデータを受信し、その他のデータの通信を行うための通信処理部である。
【００２７】
１１４は歌詞データや背景映像データなどに基づいてカラオケ映像を作成して、モニタ１１６に表示するための表示処理部である。
【００２８】
１１８は音声処理部であり、ＭＩＤＩデータの楽曲情報を処理してスピーカ１２０から出力すると共に、マイク１２２から入力された歌唱音声をスピーカ１２０から出力する。
【００２９】
図２は、本発明に係る通信カラオケ装置１００のミラーリングの状態を説明するための概念図である。
【００３０】
図において、ハードディスク１（１２６）には、システム情報を記憶するシステム情報記憶領域１２６ａ、楽曲データ（ＭＩＤＩデータ，歌詞データおよび色替えデータ）を記憶する楽曲情報記憶領域１２６ｂ，演奏履歴などの顧客情報を記憶する履歴情報記憶領域１２６ｃ、背景映像情報を記憶する背景映像情報記憶領域１２６ｄを記憶する領域が設けられている。
【００３１】
また、ハードディスク２（１２８）には、システム情報を記憶するシステム情報記憶領域１２８ａ、楽曲データ，歌詞データおよび色替えデータを記憶する楽曲情報記憶領域１２８ｂ，演奏履歴などの運用・顧客情報を記憶する履歴情報記憶領域１２８ｃ、背景映像情報を記憶する背景映像情報記憶領域１２８ｄを記憶する領域が設けられている。
【００３２】
本実施例に係る通信カラオケ装置１００では、上記ハードディスク１（１２６）のシステム情報記憶領域１２６ａ，楽曲情報記憶領域１２６ｂと履歴情報記憶領域１２６ｃに記憶された情報を、それぞれハードディスク２（１２８）のシステム情報記憶領域１２６ａ，楽曲情報記憶領域１２６ｂと履歴情報記憶領域１２６ｃにミラーリング（複製記憶）をしている。
【００３３】
また、背景映像情報は、ハードディスク１（１２６）の背景映像情報記憶領域１２６ｄとハードディスク２（１２８）の背景映像情報記憶領域１２８ｄを用いてそれぞれ異なる情報を記憶する構成としており、特に重要な映像情報を除いて背景映像情報のミラーリングは行わない。
【００３４】
つぎに、上述のように構成された本発明に係る通信カラオケ装置１００のミラーリング処理の動作を図３のフローチャートおよび図４のハードディスク装置１２６，１２８の実装形態別のドライブ名の割り当て状態を示した説明図を参照しながら説明する。
【００３５】
ミラーリング処理
本発明の通信カラオケ装置１００では、ホストコンピュータ３００から通信カラオケデータ（楽曲データ、歌詞データ、色替えデータ、背景映像データなど）が定期的に若しくは適時にネットワーク４００を介して配信されており、通信処理部１１２において、前記配信された通信カラオケデータが受信される。
【００３６】
通信カラオケ装置１００の電源を投入すると（ステップ２、以下、ステップをＳと記述する。図面において同じ）、ブートプログラムが起動し（Ｓ４）、ハードディスクにアクセスするために、ハードディスクにドライブ名が割り当てられ、前記割り当てられたドライブ名は主記憶部１０８に記憶される（Ｓ６）。前記ドライブ名の割り当ては、ハードディスクの実装形態により、図４に示したように４通りの構成が発生する。
【００３７】
Ａ．ハードディスク１（１２６）のみが実装されている場合（ハードディスク２（１２８）は未実装又は故障中の場合）は、図４Ａに示したように、ハードディスク１（１２６）に、システム領域のドライブ名として「／ＳＹＳＴＥＭ」、楽曲領域のドライブ名として「／ＭＵＳＩＣ」、履歴領域のドライブ名として「／ＬＯＧ」、映像領域のドライブ名として「／ＶＩＤＥＯ＿ＨＤ１」が割り当てられる。他方、ハードディスク２（１２８）には、ドライブ名の割り当ては行われない。
【００３８】
Ｂ．ハードディスク２（１２８）のみが実装されている場合（ハードディスク１（１２６）は未実装又は故障中の場合）は、図４Ｂに示したように、ハードディスク２（１２８）に、システム領域のドライブ名として「／ＳＹＳＴＥＭ」、楽曲領域のドライブ名として「／ＭＵＳＩＣ」、履歴領域のドライブ名として「／ＬＯＧ」、映像領域のドライブ名として「／ＶＩＤＥＯ＿ＨＤ２」が割り当てられる。他方、ハードディスク１（１２６）には、ドライブ名の割り当ては行われない。
【００３９】
Ｃ．ハードディスク１（１２６）およびハードディスク２（１２８）の両方が実装されている場合で、ハードディスク１（１２６）からブートを行う場合は、図４Ｃに示したように、ハードディスク１（１２６）に、システム領域のドライブ名として「／ＳＹＳＴＥＭ」、楽曲領域のドライブ名として「／ＭＵＳＩＣ」、履歴領域のドライブ名として「／ＬＯＧ」、映像領域のドライブ名として「／ＶＩＤＥＯ＿ＨＤ１」が割り当てられる。他方、ハードディスク２（１２８）には、システム領域のドライブ名として「／ＳＹＳＴＥＭ＿ＢＡＣＫＵＰ」、楽曲領域のドライブ名として「／ＭＵＳＩＣ＿ＢＡＣＫＵＰ」、履歴領域のドライブ名として「／ＬＯＧ＿ＢＡＣＫＵＰ」、映像領域のドライブ名として「／ＶＩＤＥＯ＿ＨＤ２」が割り当てられる。
【００４０】
Ｄ．ハードディスク１（１２６）およびハードディスク２（１２８）の両方が実装されている場合で、ハードディスク２（１２８）からブートを行う場合は、図４Ｄに示したように、ハードディスク１（１２６）に、システム領域のドライブ名として「／ＳＹＳＴＥＭ＿ＢＡＣＫＵＰ」、楽曲領域のドライブ名として「／ＭＵＳＩＣ＿ＢＡＣＫＵＰ」、履歴領域のドライブ名として「／ＬＯＧ＿ＢＡＣＫＵＰ」、映像領域のドライブ名として「／ＶＩＤＥＯ＿ＨＤ１」が割り当てられる。他方、ハードディスク２（１２８）には、システム領域のドライブ名として「／ＳＹＳＴＥＭ」、楽曲領域のドライブ名として「／ＭＵＳＩＣ」、履歴領域のドライブ名として「／ＬＯＧ」、映像領域のドライブ名として「／ＶＩＤＥＯ＿ＨＤ２」が割り当てられる。
【００４１】
通信カラオケ装置１００が起動したのち通信処理部１１２により通信カラオケデータを受信すると（Ｓ１０）、受信したデータの種別を認識し（Ｓ１２）、楽曲データ，歌詞データ，色替えデータの場合は、前記主記憶部１０８に記憶したドライブ名情報（本実施例では図４Ｃの場合）に基づいてハードディスク１（１２６）の楽曲情報記憶領域１２６ｂに記憶される（Ｓ１４）。また、同じデータ（前記受信した楽曲データ，歌詞データ，色替えデータ）が、ハードディスク２（１２８）の楽曲情報記憶領域１２８ｂにミラーリング（複製記憶）される（Ｓ１６）。
【００４２】
受信したデータが背景映像データの場合は（Ｓ１２）、該背景映像データは、ハードディスク１（１２６）若しくはハードディスク２（１２８）のいずれかの空き領域に記憶される（Ｓ１８）。
【００４３】
今回開示された実施の形態はすべての点で例示であって制限的なものではないと考えられるべきである。本発明の範囲は、上記した実施の形態の説明ではなくて特許請求の範囲によって示され、特許請求の範囲と均等の意味および範囲内でのすべての変更が含まれることが意図される。
【図面の簡単な説明】
【００４４】
【図１】本発明に係る通信カラオケ装置１００の全体構成を示すブロック図である。
【図２】本発明に係る通信カラオケ装置１００のミラーリング処理を説明するための概念図である。
【図３】本発明に係る通信カラオケ装置１００のミラーリング処理の動作フローチャートである。
【図４】本発明に係る通信カラオケ装置１００のハードディスク装置１２６，１２８の実装形態別のドライブ名の割り当て状態を示した説明図である。
【符号の説明】
【００４５】
１００    通信カラオケ装置
１０２    システム制御部
１０４    操作部
１０６    フォント制御部
１０８    主記憶部
１１０    補助記憶部
１１２    通信処理部
１１４    表示処理部
１１６    モニタ
１１８    音声処理部
１２０    スピーカ
１２２    マイク
１２４    ハードディスクコントローラ
１２６    ハードディスク１（ＨＤ１）
１２８    ハードディスク２（ＨＤ２）
３００    ホストコンピュータ
４００    ネットワーク
【図１】
2005258009.tif 000003
【図２】
2005258009.tif 000004
【図３】
2005258009.tif 000005
【図４】
2005258009.tif 000006